Podtech/llm-jp-corpus-v4-ja_patent huggingface dataset:
(57)【要約】      （修正有）【課題】墨は主に膠と油煙や松煙のすすである炭素から成り、書道や水墨画等の黒色の発色剤として使用され、色墨においてはすすの代わりに、顔料や合成着色料が使用されるが、前記材料は発癌性や有害な重金属を含むものが多く安全性にて問題があ、前記顔料や合成着色料を含まない色墨の提供。【解決手段】野菜パウダ−を使用し所定の形状に形成された野菜墨で、野菜パウダ−の粒径は１〜１００μｍ、好ましくは１〜５０μｍ、より好ましくは１〜２０μｍである野菜墨。硯で滑らかに摩り下ろすには２０μｍ以下の粒径の野菜パウダーが望ましい。水切りし、乾燥した野菜を気流式ジェット粉砕機等で粉砕し野菜パウダを製造し、得られた野菜パウダーと膠を混合して墨の木枠に流し込み、３〜６ケ月間かけて自然乾燥し、野菜墨を作成する方法。紫色は紫イモ、緑色は明日葉、黄色はトウモロコシ等から作成する野菜色墨。【選択図】なし【特許請求の範囲】
【請求項１】
野菜パウダ−を使用し所定の形状に形成された野菜墨。
【請求項２】
請求項１の使用する野菜パウダ−の粒径は１μｍから５０μｍであることを特徴とする野菜墨。
【発明の詳細な説明】
【技術分野】
【０００１】  書道や水墨画、水彩画、絵手紙などの芸術分野において主に利用されるものである。
【背景技術】
【０００２】  墨は主に膠と油煙や松煙のすすである炭素から出来ており、書道や水墨画等において黒色の発色剤として使用されている。
色墨においてはすすの代わりに、顔料や合成着色料が使用されているが、これらの材料は発がん性や有害な重金属を含むものが多く安全性において問題がある。
これらの安全性の問題を解決する野菜墨を考案した。
【発明の概要】
【発明が解決しようとする課題】
【０００３】  墨は主に膠と油煙や松煙のすすである炭素から出来ており、硯で墨をすり和紙などに毛筆で漢字やかなを書くといった書道には欠かせないものである。
さらに墨絵や水墨画、墨彩画、絵手紙なども墨を利用する為、芸術では欠かせないものである。
墨は一般的には黒色を基調としているが、カラ−の色墨も製造され販売もされている。
しかし、この色墨の色は顔料や合成着色料を使用している。顔料は古来発ガン性物質や有毒な重金属を含むものが多く、また合成着色料も安全性に問題があるものが多い。
このような問題を解決すべく鋭意研究を重ねた結果、天然の野菜の色を利用した野菜墨の開発に成功した。
生野菜そのものを墨にする事は無理なので、野菜を乾燥しさらに微粉砕して野菜パウダーにする。そしてその野菜パウダーを顔料や合成着色料の代わりとして膠に混合した色墨の開発に成功した。
この野菜墨の開発により、技術面においては既存色墨の安全性問題が可決出来、芸術面では野菜の色合いを表現することが出来た。【０００４】  墨の黒色は前述の如く油煙や松煙のすすが使用されている。すすの粒径は非常に小さい為に膠との混合が上手く出来、上質な墨が出来上がる。
このように墨にする為には、膠との混合の為粒径が小さい物質である必要がある。
使用する野菜パウダ−の粒径も１μｍから１００μｍの幅で使用可能であるが、好ましくは５０μｍ以下の小粒子径の野菜パウダ−が良い。
【問題を解決するための手段】
【０００５】  墨の中で、色墨は上述の如く、発がん性や有毒な重金属を含む物が多く問題があった。
本考案は日常、食事で口にしている野菜の色を利用した色墨の為、安全性が高い墨を製造する事が出来た。
【０００６】  天然の野菜そのままでは、膠と混合する事が出来ない為、野菜を乾燥して微粉砕した野菜パウダ−を使用することで良好な野菜墨を作ることが出来た。
さらに膠と混合する時の野菜パウダ−の粒径は大変重要で１μｍから１００μｍの野菜パウダ−を使用することで野菜墨を作ることが出来るが、硯で滑らかに摩り下ろすには２０μｍ以下の粒径の野菜パウダ−を使用することが好ましい。
【考案の効果】
【０００７】  野菜パウダ−を練り込んで製作した野菜墨を硯で摩り下ろしたところ、市販の墨と変わらず滑らかに摩り下ろすことが出来た。
そして、毛筆や水彩画の絵筆で描いたところ綺麗に書くことが出来た。
さらに野菜の色が表現出来ており、何とも言えない天然の色合いの書や絵として表現出来た。また、近年多く見られる絵手紙にも書かれている植物を表現するには最適であった。
【図面の簡単な説明】
【０００８】  なし
【発明を実施するための形態】
【０００９】１）野菜を粉砕する為に、前もってスライスしかつ畑の泥などが付いているので水で洗浄    する
２）洗浄後、水を切り乾燥機にて乾燥する。
３）乾燥した野菜を気流式ジェット粉砕機等で微粉砕し野菜パウダ−を製造する。
４）野菜パウダ−と膠を良く混合して、墨の木枠に流し込む。
５）３〜６か月かけて自然乾燥し野菜墨を製造する。
【実施例１】
【００１０】  膠３６ｇを水１００ｃｃと混合し、ムラサキイモ野菜パウダ−６０ｇと良く練り混合し、木枠に流し込んで十分乾燥後、紫色の野菜墨を製作した。
硯にてこの野菜墨をすり、書道筆で漢字を描いたところ、ムラサキイモの紫色が鮮やかに表現出来た。色の濃淡は従来の墨の使用方法と変わりはなかった。
【実施例２】  膠３６ｇを水１００ｃｃと混合し、あしたば野菜パウダ−６０ｇと良く練り混合し、木枠に流し込んで十分乾燥後、緑色の野菜墨を製作した。
硯にてこの野菜墨をすり、水彩画の絵筆で描いたところ、あしたばの緑色が鮮やかに表現出来た。色の濃淡は従来の墨の使用方法と変わりはなかった。
【実施例３】  膠３６ｇを水１００ｃｃと混合し、とうもろこし野菜パウダ−６０ｇと良く練混合し、木枠に流し込んで十分乾燥後、黄色の野菜墨を製作した。
硯にてこの野菜墨をすり、水彩画の絵筆で描いたところ、とうもろこしの黄色が鮮やかに表現出来た。色の濃淡は従来の墨の使用方法と変わりはなかった。
【産業上の利用可能性】
【００１４】  従来の色墨の着色料は、安全性に問題が多い顔料や合成着色料が使用されているが、天然野菜の色合いを利用した野菜墨は、安全性が高くまた環境にも優しい為今後利用される可能性が大きく期待できる。
また芸術分野においても、今までなかった野菜墨の色合いは、描き手の感性を刺激し幅広い芸術活動が可能になる。
その結果、野菜墨で表現された芸術作品が多くの人々を楽しませる。そして作品を鑑賞した人々が描き手（野菜墨使用者）になりうる可能性が大である。
(57)【要約】【課題】  ゴルフアイアンカバーの、落下を防ぐための、ボタン付きゴルフアイアンカバーを提供する。【解決手段】アイアンを入れるための袋状の本体（１）に付いたボタン（３）に（２）のＵ字形ひもをかけ固定する、ボタンと、Ｕ字形ひもを特徴とする。【選択図】図２
2018130512.tif 000002
【特許請求の範囲】
【請求項１】
（１）のアイアンを入れるため、袋状に作られた本体の端に（２）のＵ字形ひもをつけ、（４）のアイアン出し入れ口より、アイアンを入れた後（３）のボタンに（２）のＵ字形ひもをかけ固定する、ボタン付きゴルフアイアンカバー。
【発明の詳細な説明】
【技術分野】
【０００１】この発明は、ゴルフアイアンカバーの落下防止のためのボタンを付けた、ボタン付きゴルフアイアンカバーに関するものである。
【背景技術】
【０００２】従来、１本ごとにかぶせる袋状のゴルフアイアンカバーは、プレー中落ちやすく、いつのまにか無くすことがあった。
【先行技術文献】
【特許文献】
【０００３】
【特許文献１】
【発明の概要】
【発明が解決しようとする課題】
【０００４】これは、次のような欠点があった。
従来、ゴルフアイアンはプレーのためカートに載せて移動、その時のぶつかり傷、ぶつかり音を防止するためアイアンカバーを装着するのだが、いつの間にかゆるくなり数本あるアイアンの中からぬけ落ちている事に気付かない事があった。本発明は、以上のような欠点をなくすためになされたものである。
【課題を解決するための手段】
【０００５】（１）のカバー本体の、端に取り付けたＵ字形のひも（２）を袋部（４）にアイアンを挿入後（３）のボタンにかけ固定する。本発明は、以上の構成よりなるゴルフアイアンカバーである。
【発明の効果】
【０００６】ボタンにかけるひもがＵ字形になっていることで、かけやすく、はずしやすくなっている。
【図面の簡単な説明】
【０００７】
【図１】  本発明の斜視図である。
【図２】  本発明の使用図である。
【発明を実施するための形態】
【０００８】以下、本発明を実施するための形態について説明する。
（１）のアイアンを入れるため袋状に作られた本体の端に、（２）のＵ字形のひもを取りつけ、（４）の袋の入り口からアイアンを入れた後、（３）のボタンに（２）のＵ字形ひもをかけ固定する。本発明は、以上のような構造である。
【符号の説明】
【０００９】１  本体
２  Ｕ字形ひも
３  ボタン
４  アイアン出し入れ口
５  アイアン
【図１】
2018130512.tif 000003
【図２】
2018130512.tif 000004
(57)【要約】【課題】従来のタイピンは製作に金属加工という特殊技術が必要で、またネクタイ本体を加工してタイピン効果を出す方法にもミシンの技術が必要である。さらに布製で作るネクタイ留めもボタン間隔や各ボタンの大きさを考えた上でのミシンの技術が必要である。本発明はその様な技術や機械を必要とせず、誰でも簡単にゴムと針と糸でつくれ、製作上のわずらわしい諸問題を解決する為に提供するものである。【解決手段】太さが４ｍｍの丸型ゴムひもの両サイドにＹシャツのボタンにとめれる直径９ｍｍの輪ッカ穴を作り、その根元は針と糸で縫合してとめる。（金属のホッチキスとめでもよい。）その輪ッカ穴と輪ッカ穴の間隔は、Ｙシャツボタンの一般的な間隔と同じ８０ｍｍとする。【選択図】図１
2018130515.tif 000002
【特許請求の範囲】
【請求項１】
本発明は、太さ４ｍｍの丸型ゴムひもの端にＹシャツのボタンにはまる輪ッカ（９ｍｍ）を作り、もう一方の端にも同じ輪ッカを作り、輪ッカと輪ッカの間隔は８０ｍｍとし、輪ッカの付根部分は針と糸で縫合し、製作に特殊な機械も技術も必要としないゴムがタイピン。
【請求項２】
Ｙシャツのボタンに輪ッカをかけ、ネクタイの裏のタグの穴に通し、もう一方を別のボタンにかけるが、本体がゴムであるが故の伸びちぢみの特徴を生かし、あらゆる種類のＹシャツにも対応できるようにしたゴムがタイピン。
【発明の詳細な説明】
【技術分野】
【０００１】本発明は金属でつくるタイピンはゴムがタイピンになるということに関するものである。
【背景技術】
【０００２】従来のタイピンは金属加工という特殊な技術で作られる。ゴムひもで作れば特殊技術は不要で、素人でも簡単につくれ、タイピンの効果は出せるという発想になった。
【先行技術文献】
【特許文献】
【０００３】
【特許文献１】特願２００８−２５５５８７
【特許文献２】特願２００６−８９３５９
【特許文献３】特願平７−２５０２８３
【発明の概要】
【発明が解決しようとする課題】
【０００４】従来のタイピンは金属加工という特殊技術でつくられる。またネクタイ本体を加工し、タイピンの効果を出す方法にもミシンの技術が必要である。さらにまた布製で作るネクタイ留めもボタン間隔やボタンの大きさを考慮したミシンの技術が必要である。
本発明はそのような技術や機械を必要とせず、誰でも簡単にゴムと針と糸でつくれ、製作上のわずらわしい諸問題を解決するものである。
【課題を解決するための手段】
【０００５】太さが４ｍｍの丸型ゴムひもの両サイドにＹシャツのボタンにとめれる直径９ｍｍの輪ッカ穴を作り、根元は針と糸で縫合する。（金属のホッチキスとめでもよい。）
その輪ッカ穴の間隔は、Ｙシャツボタンの一般的な間隔と同じ８０ｍｍとする。
【発明の効果】
【０００６】従来タイピンはほとんど金属で作成し、金属加工という特殊技術が必要であった。
しかし丸型ゴムという素材をつかうことで、特殊な機械や技術を使わなくても、ゴムと針と糸というシンプルな材料でつくれ、タイピンと同じ効果がはたせるものが作成できる。
【図面の簡単な説明】
【０００７】
【図１】本発明の斜視図
【図２】本発明の使用状態を示す斜視図
【発明を実施するための形態】
【０００８】本発明の構造は太さ４ｍｍの丸型ゴムひもの端にＹシャツのボタンにはまる輪ッカ（直径９ｍｍ）を作り、もう一方の端にも同じ輪ッカを作り、輪ッカ部分の根元を針と糸で縫合するというきわめてシンプルなもので、製作に特殊な技術や機械も必要としないものである。また輪ッカと輪ッカの間隔は８０ｍｍとする。
使用方法はＹシャツのボタンに輪ッカの一つをかけ、ネクタイの裏についているタグの穴に通しもう一方をＹシャツの別のボタンにかければ、ネクタイのゆれが少なくなり、タイピンを着けた状態が作り出せる。また、本発明品はゴムでできている為、ゴムのメリットが発揮でき、種々のＹシャツのボタンの大きさやボタン間隔の違いにもゴムゆえの伸び縮みを利用して、あらゆる種類のＹシャツのボタンにも対応できるようになっている。
【符号の説明】
【０００９】１  太さ４ｍｍの丸型ゴムひも              ２  ゴムの輪ッカ
３  輪ッカ縫合糸                          ４  反対側の輪ッカ
５  反対側の輪ッカ縫合糸
【図１】
2018130515.tif 000003
【図２】
2018130515.tif 000004
(57)【要約】      （修正有）【課題】義歯製作の時間と費用を削減するために、ＣＡＤ／ＣＡＭを利用し製作した義歯型による義歯製作方法を提供する。【解決手段】ＣＡＤ／ＣＡＭを利用した義歯型（１）を製作し、その中に必要なパーツ（２）や材料（３）を入れ義歯を製作する。以上の手法よりなる義歯製作方法である。義歯型のデータや、保存してある各パーツのデータがあれば、またＣＡＤ／ＣＡＭ等の設備があれば、模型を製作する事なく義歯を製作する事が出来る。【選択図】図１
2018130520.tif 000002
【特許請求の範囲】
【請求項１】
ＣＡＤ／ＣＡＭを利用した義歯型（１）を製作し、その中に必要なパーツ（２）や材料（３）を入れ義歯を製作する義歯製作方法。
【発明の詳細な説明】
【技術分野】
【０００１】この発明はＣＡＤ／ＣＡＭを利用し製作した義歯型による義歯製作方法に関するものである。
【背景技術】
【０００２】（イ）模型を使用し義歯を製作する。
（ロ）ＣＡＤ／ＣＡＭで製作したパーツを部分的に利用し義歯を製作する。
従来、義歯床の製作方法は以上の手法によるものだった。
【発明の概要】
【発明が解決しようとする課題】
【０００３】これは、次のような欠点があった。
従来、義歯の製作には模型が必要であった。模型を製作し、その後にその模型に合わせて義歯を製作する手法は、多くの時間と費用を費やす必要があった。またＣＡＤ／ＣＡＭ等の技術は複数のマテリアルを組み合わせたものを同時に組み込みながら製作するのが困難であった。したがって複数の材質からなる義歯を製作するのが困難であった。
本発明は、以上のような欠点をなくすためになされたものである。
【課題を解決するための手段】
【０００４】ＣＡＤ／ＣＡＭを利用した義歯型（１）を製作し、その中に必要なパーツ（２）や材料（３）を入れ義歯を製作する。
本発明は、以上の手法よりなる義歯製作方法である。
【発明の効果】
【０００５】義歯型のデータや各パーツのデータがあれば、模型を製作する事なく義歯を製作する事が出来る。通常、義歯を製作するためには複数回の歯科医院への来院が必要であり、義歯の製作に数週間必要になる事もあるが、この手法を利用すると保存してあるデータと同じ内容の義歯であればすぐに製作する事ができる。同じ義歯を同時にスペアとして製作する事や、必要な時に必要な数だけ同じ義歯を製作する事が出来る。データとＣＡＤ／ＣＡＭ等の設備があれば、製作場所を選ばず同じ義歯を製作する事ができる。したがって震災等の緊急時のリスクマネージメントや海外への輸出等ができる。例えば口腔内スキャナー等を発展途上国等に持っていき、インターネットで口腔内のデータを日本に送れば、日本からその国に義歯を輸出する事ができる。
【図面の簡単な説明】
【０００６】
【図１】本発明の断面図である。
【発明を実施するための形態】
【０００７】以下、本発明を実施するための手法について説明する。
ＣＡＤ／ＣＡＭを利用した義歯型（１）を製作し、その中に必要なパーツ（２）や材料（３）を入れ義歯を製作する。
本発明は、以上のような手法である。
【符号の説明】
【０００８】１  義歯型
２  パーツ
３  材料
【図１】
2018130520.tif 000003
(57)【要約】【課題】本発明は、洗面水栓を眼の温水シャワーに簡易に使い分けできる眼の温水シャワーユニットである。通常は洗面水栓シャワーで使用するが、水栓シャワーホースを、引きのばして受け台に装着し、噴水型の眼の温水シャワーとして使用するものを提供する。【手段】洗面水栓を、眼のシャワー用に，両目に均等に当たるよう，楕円形のシャワー板を設ける。シャワー板が洗面台と水平になるように、シャワー本体を６０度の角度に設ける。シャワー本体を、洗面台に置いた吸盤フック受け台とシャワーフックに装着させた、眼の温水シャワーである。【選択図】図１
2018130519.tif 000002
【特許請求の範囲】
【請求項１】
洗面水栓シャワーを眼への温水シャワーとして使えるようにした眼の温水シャワーユニット。
【請求項２】
洗面水栓シャワーを眼のシャワーとして使えるシャワーヘッドの吸盤フック受け台に設けられている眼の温水シャワーユニット。
【発明の詳細な説明】
【技術分野】
【０００１】  本発明は、洗面水栓を眼への温水シャワーに簡易に使い分けできる、眼の温水シャワーユニットに関するものである。
【背景技術】
【０００２】  従来、洗眼器や緊急洗眼シャワーはあるが、携帯タイプや水栓蛇口に、着脱自在に固定するもので、例えば、一般家庭で、眼への４２℃温水シャワーとして手軽に使えるものがない。
【発明の開示】
【発明が解決しようとする課題】
【０００３】「東京ガス都市生活研究所」の実験からも４２℃シャワーで目を温めると一時的な視力の低下は早期に回復し、目のスッキリ感が増して、目の疲れが劇的に回復したという結果が出ている。目を温めると目がよくなることが検証されている。
それと、目のまばたきの運動は周辺筋肉を柔軟にして弾力を増し、目のたるみ・むくみの予防になることは知られている。しかし、次のような問題点があった。
家庭で手軽に洗面台で使える眼の温水シャワーがなく、そのために従来のシャワーヘッドを裏返して、目に温水が水平に当たるよう、手で支えて持っていたり、入浴時にシャワーヘッドを目に当てて使っていた。
本発明は以上の問題点を解決し、洗面水栓のホースを引きのばして、洗面台に置いた吸盤フック受け台で簡易に眼の温水シャワーとして使いやすくしたものである。
【課題を解決するための手段】
【０００４】  洗面水栓シャワーを眼のシャワー用に、両目にシャワーが均等にあたるようにシャワー板を楕円形にして設ける。洗面水栓シャワーを引きのばして洗面台の吸盤フック受け台に装着するときに、洗面台とシャワー板が水平になるようにシャワー本体とシャワー板を６０度の角度をつけて設ける。
本発明は以上の構成よりなる眼の温水シャワーである。
【発明の効果】
【０００５】（イ）洗面台で目を洗うように温水シャワーで３分間まばたき運動を繰り返し、目の周辺の筋肉をほぐして弾力を増すことで、まぶたのたるみ・むくみがとれてスッキリする。まぶたが軽く感じることにより目を開ける可動域が広がり目が大きくみえる。
（ロ）加齢とともに眼瞼が下がってきて、まぶたがはれぼったくなり、目が細くなってくる、いわゆる眼瞼下垂の予防に効果がある。
（ハ）シャワー本体をマイクロナノバブル・シャワーヘッドにすると、４２℃シャワーの肌表面温度を持続させ、なめらかな肌あたり、ハリとキメを整える美容効果、節水作用のエコシャワーもあわせて、目と肌のケアに高い作用が見られる。
【発明を実施するための最良の形態】
【０００６】以下、本発明の実施の形態を説明する。
（イ）洗面水栓シャワーを眼のシャワー用に、両目に均等にシャワーが当たるよう楕円形のシャワー板（２）を設ける。
（ロ）洗面水栓シャワーを引きのばして洗面台に置いた吸盤フック受け台（４）に装着するときに、シャワー板（２）が水平になるようシャワー本体（７）と６０度の角度をつけて設ける。
（ハ）眼のシャワー本体（７）を装着するとき、吸盤フック受け台（４）の上面に吸盤シート（３）を置いて水平になるように安定させる。シャワー本体（７）はシャワーフック（６）で支える。
（ニ）シャワー板（２）には、ストレート水流穴（１）を中心に、その周辺に多数個のシャワー穴を設け、ストレート・シャワー切り替えボタン（８）で操作する。
本発明は以上の構成からなる眼の温水シャワーユニットである。
以下、使用法について説明する。
通常使用の洗面水栓シャワーのホースを引きのばして、洗面台の吸盤フック受け台（４）とシャワーフック（６）に装着して安定させ、４２℃温水を通水する（事前に温度計で目盛の温度を計っておく）。シャワーの高さ２５〜３０ｃｍ位のやわらかい水圧の温水の中で、眼のまばたき運動を繰り返す
１回３分位を１日朝・夕・就寝前の３回は行う。
【図面の簡単な説明】
【０００７】
【図１】本発明の斜視図
【図２】本発明の眼のシャワー本体を受ける吸盤フック受け台の斜視図
【図３】本発明の眼のシャワー本体とシャワー板の斜視図
【図４】本発明の眼のシャワー本体の正面図
【図５】本発明の眼のシャワー本体の左側面図
【図６】本発明の使用法の参考図
【図７】本発明の使用状態の参考図
【符号の説明】
【０００８】（１）ストレート水流穴、（２）シャワー板、（３）吸盤シート、（４）吸盤フック受け台  （５）吸盤台、（６）シャワーフック、（７）シャワー本体、（８）ストレート・シャワー切替えボタン
【図１】
2018130519.tif 000003
【図２】
2018130519.tif 000004
【図３】
2018130519.tif 000005
【図４】
2018130519.tif 000006
【図５】
2018130519.tif 000007
【図６】
2018130519.tif 000008
【図７】
2018130519.tif 000009
(57)【要約】      （修正有）【課題】擂り鉢と擂潰具を用いて従来の擂粉木よりも遥かに少ない力で、効率よく食材を擂り潰すことが出来、しかも擂り潰した食材のみを得られるようにした擂潰具を提供する。【解決手段】粉木に替えて擂り潰そうとする食材との接触面に放物面状又は半球状になった金属製の網１を用い、網１の目の大きさは、擂り潰される以前の状態の食材の寸法より小さくなるように設定する。また、網１の縁の曲面に沿い、金属性の板で両側から挟み込むようにして固定させ、円形状の枠である胴体２を設け、その中側の空間が擂られた食材で満たされるよう構成する。【選択図】図１
2018130521.tif 000002
【特許請求の範囲】
【請求項１】
擂り鉢に使用する擂粉木に替えて、擂り潰そうとする食材との接触面に放物面状又は半球状の形の金属製の網を備えた擂潰具。
【請求項２】
金属製の網の裏側に接する部分を閉じられた空間と成し、前記空間に擂り潰された食材が溜まるようにした擂潰具。
【発明の詳細な説明】
【発明の詳細な説明】
【技術分野】
【０００１】本発明は擂り鉢とともに用いる擂潰具に関する。
【背景技術】
【０００２】従来、穀物等を手で擂り潰すのに擂り鉢と擂粉木を使うのが普通であった。
【発明が解決しようとする課題】
【０００３】しかし従来の擂粉木を用いた方法では、食材を擂り潰すのに擂粉木に加えられた力のうち、構造上余分な力が擂り鉢の面に押し付けられる形になるので、その分効率が悪く、しかも擂られた食材どうしが重なり合ったりすると、残りの食材を擂る際の妨げともなる欠点があった。
一例を挙げると、潰れなかった胡麻などが粒状のままの形で食されたりしたものは、腸内では栄養分として消化、吸収されずに他の便に混じって体外に排泄されてしまうという無駄があった。
【問題を解決しようとするための手段】
【０００４】上記目的を達成するために、本発明は擂粉木に替えて擂り潰そうとする食材との接触面に放物面状又は半球状になった金属製の網（１）、を用いることで解決を図る。
【０００５】網（１）、の目の大きさは、擂り潰される以前の状態の食材の寸法より小さくなるように設定する。
【０００６】網（１）の縁の曲面に沿い、金属性の板で両側から挟み込むようにして固定させ、円形状の枠である胴体（２）を得るが、その中側の空間（９）は空間（８）が擂られた食材で満たされ、尚且つそれ以上に量が増えた際に増加分を溜めておく場所である。
【０００７】胴体（２）の上端に下蓋（２ａ）を取り付け、その上に上蓋を兼ねた取り外し可能なハンドル（３）を設けることで、網（１）を前後左右に自由な方向に動かすことが出来るようにさせ、全体が纏まった一つの擂潰具として機能するようにした。
【０００８】本発明に用いる網の種類としては、ワイヤーを縦横に編んだいわゆるワイヤーメッシュと呼ばれるものと、板に穴を開けて網状にしたパンチングメタルと、同じく金属の板に切れ目を入れてつくるエキスパンドメタルの三種類があり、ワイヤーメッシュの場合ワイヤーが細いと食材に網面を押し付けたときに網目が歪む恐れがある。
【０００９】網の強度や耐久性の面では素材を太めにしたり、或いは網（１）の内側に同じ形状のパンチングの板を二重に貼ることにより、耐久性のある強固な擂潰面を得ることが出来る。
【００１０】上記方法の他、網（１）の内側の胴体（２）及び網（１）の境目と、網の先端（１ａ）とのほぼ中間となる位置に、図１の中で水平になるように網に密着したリングを溶接することで、網目の歪みを防ぐと同時に、網の強度の補強の方法の一つにもなる。
上記三種類の材料のうち後者の二種類は構造上丈夫であり、そのうちのエキスパンドメタルは擂り潰すのにも一番効率が良いが、価格の面では高価なものになってしまう難点があった。
また材料の厚みとか特殊鋼やチタン等の材質の違いによっても価格が左右されるので、これらの諸条件を加味し、勘案することで、製品としてのグレイド分けとともに、普及品その他、複数の商品を提供することが可能である。
【発明を実施するための形態】
【００１１】以下、本発明の実施の形態として、一実施例を符号に基いて説明する。
１は、食材を擂り潰すための金属製の網
２は、網（１）を固定させるために網（１）に繋げた胴体。
２ａは、胴体（２）に固定されたドーナツ状の板の形をした下蓋。
３は、蓋の役目をすると同時に網（１）が食材を的確に擂り潰せるように、手の動きを網      （１）に伝える役目のハンドル。
４は、ハンドル（３）を下蓋（２ａ）に繋ぎ止めて置くための番。
５、  ６、  ７  は、ハンドル（３）の蓋に当たる部分を下蓋（２ａ）に固定したり、ま      た反対に固定された蓋を解除するための止め金。
８及び９は、擂り潰された食材を溜めておく空間。
【発明の効果】
【００１２】本発明の擂潰具は金網の性質を逆手に取り応用した結果、上述したように擂粉木のように力を入れなくても、軽いタッチで食材を擂り潰すことが出来、擂り潰されて細かくなった食材は網（１）の目の内側の空間（８）に押し込まれて溜まるようになるので、中に溜まった食材をスプーン等で取り出すようにすれば、粉砕された食材のみを得ることが出来る。
【産業上の利点】
【００１３】食材を擂り残しの無い状態で利用できるということは、グローバルな観点で捉えると資源の節約にもなっている。
【図面の簡単な説明】
【図１】擂潰具の正面図
【図２】蓋付きのハンドル（３）を上部から見た図
【図３】擂潰具の網及び胴体の内部の空間を示したところの断面図
【符号の説明】  １、    網
１ａ、    網の先端
２、    胴体
２ａ      下蓋
３、    ハンドル
４、    番
５、    止め金
６、    止め金
７、    止め金
８、    空間
９、    空間
【図１】
2018130521.tif 000003
【図２】
2018130521.tif 000004
【図３】
2018130521.tif 000005
(57)【要約】      （修正有）【課題】人家の密集する集合住宅や、多数のブロイラーや家畜を飼育する鶏舎などの野鳥の原因における危害を防止させる野鳥侵入防止器具を提供する。【解決手段】本体１に有する吊り具２は、軸心３にて支持され、保護具４は底板５で軸心３にて、本体１に固着され、保護具４には電源６と照明７を有して保護し、本体１のリング８−１に反射板８を反射板８の吊り輪９−１に鈴９を保持させ、本体１のリング８−３にはテープ８−２を保持させ、回転具１０は、底板５と径着させ、回転具１０に風板１１を具備させ、軸心３の先端３−１は地中に埋設させる事を特徴とした、野鳥侵入防止器具。【選択図】図−１
2018130105.tif 000002
【特許請求の範囲】
【請求項１】
本体（１）の吊り具（２）は、軸心（３）にて固着され、保持具（４）は底板（５）で軸芯（３）で系着され、保持具（４）には電源（６）照明（７）を保護し、反射板（８）は本体（１）のリング（８−１）にて支持、反射板（８）の吊り輪（９−１）にて鈴（９）を保持、リング（８−３）では、テープ（８−２）を保持させ、回転具（１０）は底板（５）に系着させ、回転具（１０）には風版（１１）を具備させ、軸芯（３）の先端部（３−１）は地中に埋設させる事を特徴とした、野鳥侵入防止器具。
【発明の詳細な説明】
【技術分野】
【０００１】従来の野鳥侵入防止具は、鶏舎等の家畜舎建造物へ侵入の防止を目的とされ、周辺の飛来中には効果がなく、本発明は周辺に野鳥が飛来し近辺に留置させず、通過をさせる事とを目的として鶏舎、家畜舎の近辺の鳥や家畜の疫病を防止させる事を趣旨とする、野鳥侵入防止具である。
【背景技術】  野鳥侵入防止案件としては、特開２００３−２０４７５１は駆動装置として、電動機や音声用機器を具備させ、費用やメンテに費用が必要で、特開２０１２−５４２２は、針状の突起物の設置は従事者にも危険であり、実用新案登録第３０６６０１６号は周辺が、建造物や樹木に閉鎖されていれば周辺は薄暗く、光での防御は効果が期待されない。
【発明の開示】
【０００３】上述の欠点を解決する為に、本発明は人家の密集する集合住宅や、多数のブロイラーや家畜を飼育する鶏舎などの野鳥の原因における危害を防止させる野鳥侵入防止器具である。
【課題を解決するための手段】
【０００４】［請求項１］
［図−１］にて、説明すると本体（１）の吊り具（２）は軸芯（３）で保持され、保持具（４）は底板（５）で固着、保護具（４）には電源（６）照明（７）を保護し、反射板（８）は本体（１）のリング（８−１）にて支持し、反射板（８）の吊り輪（９−１）にて鈴を保持、本体（１）リング（８−３）にてテープ（８−２）を保持させ、回転具（１０）は底板（５）と軸心（３）を介してさせ回転させ、軸心の先端（３−１）は地中に埋設させる事を特徴とした野鳥侵入防止器具。
本発明は、集合住宅にて、洗濯物専用ベランダの隅に鳥が営巣し、洗濯物を汚す被害を無くするために立案されたが、現在社会問題にされておるブロイラーウイルス防止や、ガソリンスタンドなどの顧客車両の汚れ防止にも効果が期待され、テスト重ねて実施中である。
鳥の視力は良く、強力な乱反射の光線と音には敏感で発生源の周辺には近寄らない。
【発明を実施するための最良の形態】
【００５】以下図を参照しながら説明すると
［図−１］の本体（１）の保持する吊り具（２）は軸心（３）にて固着され、本体（１）の保護具（４）には電源（６）照明（７）を具備させ底板（５）にて系着されておる。
本体（１）のリング（８−１）に反射板（８）を支持させ、吊り輪（９−１）にて鈴（９）を吊りさげ、本体（１）のリング（８−３）にはテープ（８−２）支持させ、底板（５）と系着した回転板（１０）には風板（１１）を保持させる。
実施の形態は、本体（１）の保護具（４）に保持してある電源（６）の照明（７）はＬＥＤを使用して強力な光源で反射板（８）にて周辺に光を拡散、乱反射させる。
本体（１）のリング（８−３）に支持するテープ（８−２）は、鳥追いテープで、金色や銀色の反射材で、稲の刈り入れ前の田に用いられ、照明（７）で原色の反射光を拡散させる。
本体（１）が保持する軸心（３）は底板（５）を系着させ、回転板（１０）は保持させるだけで回転板（１０）の風板（１１）が作用し、回転、摺動させ、回転板（１０）に位置する、鈴（９）に接して鈴（９）は音を発し、テープ（８−２）バタついて回転する。
集合住宅のベランダや鶏舎設置場所灘は、風の作用が期待されそれを利用する。
本体（１）の作動が、軸心（３）に作用させ軸心の先端部（３−１）は地中に埋設して周辺に振動を与え、地中からのイタチやモグラなどの侵入防止にも効果が期待される。
次に［図−２］にての説明として（本体上部の詳細）
Ａの詳細として、本体（１）に吊り具（２）と軸心（３）が表示され、保護具（４）に保護する電源（６）と照明（７）が軸心（３）で系着され、本体（１）のリング（８−１）に反射板（８）リング（８−３）にはテープ（８−２）保持されている。
次に［図−３］にての説明として、（本体下部の詳細）
Ｂの詳細として、底板（５）に系着されている保護具（４）には、軸心（３）に固着された電源（６）と照明（７）を表示、底板（５）に保持され、回転板（１０）には風受け板（１１）を具備させ反射板（８）に吊るされた鈴（９）は接した構造であり、風が回転板（１０）が保持する風板（１１）作用すれば回転板（１０）は作動し回転板（１０）に接する鈴（９）やテープ（８−２）は作動して鈴（９）は音を出し、テープ（８−２）はバタ付き反射光を飛散し軸芯（３）の先端（３−１）は回転板（１０）の作動を地中に伝達させる。
【発明の効果】
【００６】▲１▼集合住宅のベランダの洗濯物が野鳥の糞での阻止で美化される。
▲２▼野鳥の産卵を狙う蛇の侵入にも寄与する。
▲３▼ガソリンスタンドなど来客車両の野鳥の糞での汚染防止ができる。
▲４▼ブロイラー専門の鶏舎周辺の野鳥侵入防止対策に寄与する。
▲５▼ブロイラー鶏舎の餌専用サイロ周辺の野鳥侵入防止に寄与する。
【図面の簡単な説明】
【０００７】
【図−１】  本発明の側面全体断面図に
【図−２】  本発明のＡ部詳細説明断面図
【図−３】  本発明のＢ部詳細説明断面図
【参考資料】
本発明の試作テスト実施中の詳細写真
【符号の説明】
【００８】図面の補足説明
（１）＝本体  （２）＝吊り具  （３）＝軸心  （３−１）＝軸心先端  （４）＝保持具  （５）＝底板  （６）＝電源  （７）＝照明  （８）＝反射板  （８−１）＝リング  （８−２）＝テープ  （８−３）＝リング  （９）＝鈴  （９−１）＝吊り輪  （１０）回転具  （１１）＝風板  Ａ→＝本体上部の詳細  Ｂ→＝本体下部の詳細
【図−１】
2018130105.tif 000003
【図−２】
2018130105.tif 000004
【図−３】
2018130105.tif 000005
(57)【要約】【課題】従来の水耕栽培と比較して、ヘモグロビン血症や発ガン、肝障害などの健康障害を引き起こす硝酸態窒素数値の低い野菜を生産する。又、平台の素材には従来は木枠に発泡スチロールを敷き詰め、ビニールシートを被せただけのものが主流であるが、これでは平台の水平が取りずらく養液の滞りが発生し、汚れが付着しやすく不衛生であった。【解決手段】養液供給システムは収穫直前までは養液タンク▲２▼で栽培を行い、収穫直前にミネラル水タンク▲１▼に切り替え、２４時間以上経過させて硝酸態窒素数値を低減させる。平台▲４▼の素材にＦＲＰを用いて水平を保ち、養液を任意の水位にできるようにした。又、ＦＲＰの特徴で汚れが付着しにくい性質を利用して棚清掃作業の簡素化が可能とした。さらにＦＲＰの特徴で断熱効果を利用して養液温度の安定化を図ることが可能である。【選択図】図１
2018130106.tif 000002
【特許請求の範囲】
【請求項１】
硝酸態窒素数値を低減するため、養液を供給する管とミネラル水（水道水、井戸水を含む）を供給する管で構成された平台であり、それぞれが独立して給液が出来る。
【請求項２】
平台の水平を保つため素材にＦＲＰを使用することにより、水位の隔たりを解消すること出来る。それによりＮＦＴ（薄膜水耕）とＤＦＴ（湛液型水耕）の両方の栽培方式の要素を持つことが出来る。
【請求項３】
平台の素材にＦＲＰを使用することにより、ＦＲＰの特徴である断熱効果を利用して養液温度の安定化を可能とする。
【請求項４】
野菜を栽培する棚の素材にＦＲＰを用いることにより、藻などの汚れを付着しにくいようにして衛生を保つ。またそのことにより棚の清掃作業を簡素化が出来る。
【発明の詳細な説明】
【技術分野】
【０００１】この発明は、水耕栽培における栽培する野菜の硝酸態窒素の数値低減を可能とするものである。【０００２】この発明は平台の素材にＦＲＰを用いて水平を保ち、養液を任意の水位にできるようにした。【０００３】ＦＲＰの特徴で断熱効果を利用して養液温度の安定化を図ることが可能である。【０００４】ＦＲＰの特徴で汚れが付着しにくい性質を利用して棚清掃作業の簡素化が可能である。
【技術分野】
【０００５】野菜類の栽培技術
【背景技術】
【０００６】
【特許文献１】発明の名称  低硝酸態窒素野菜およびその栽培方法と栽培システム  特開２００８−６１５７０
【非特許文献１】野菜の硝酸イオン低減化マニュアル  独立行政法人  農業・生物系特定産業技術研究機構
【非特許文献２】水耕ホウレンソウの硝酸、シュウ酸、アスコルビン酸含量に及ぼす酢酸塩の影響  菊池隆秀  関本均  著
【発明の開示】
【発明が解決しようとする課題】
【０００７】従来の水耕栽培で栽培された野菜は養分吸収率が良いため硝酸態窒素数値が高い。【０００８】従来の水耕栽培における平台の素材には発泡スチロールや木枠が用いられ、それにビニールシートを被せただけのものである。そのため棚の水平が取りにくい、養液のよどみが発生していた。【０００９】自然光利用の水耕栽培ハウスでは夏場、冬場の温度影響を受け、養液温度の維持が難しい。【００１０】ビニールシートを被せただけの平台では藻などの汚れが付着しやすい。
【課題を解決するための手段】
【００１１】野菜を栽培する棚において養液と水を切り替え、水を２４時間以上、棚に流して硝酸態窒素の数値低減を可能とした。【００１２】野菜を栽培する棚の素材にＦＲＰを用いて棚表面の高さを均一化することを可能とした。【００１３】ＦＲＰの断熱効果を利用して、養液温度の変動を抑えることが可能。【００１４】ＦＲＰの汚れが付着しにくい性質を利用して、衛生を保つ。またそのことにより清掃の作業を簡素化することが可能。
【図面の簡単な説明】
【００１５】
【図１】全体フロー図
【図２】上から見た平面図である。
【図３】横から見た側面図である。
【図４】後ろから見た側面図である。
【符号の説明】
【００１６】▲１▼  ミネラル水タンク
▲２▼  養液タンク
▲３▼  肥料タンク
▲４▼  平台
▲５▼  戻り養液フィルター
▲６▼  ミネラル水配管
▲７▼  養液配管
【図１】
2018130106.tif 000003
【図２】
2018130106.tif 000004
【図３】
2018130106.tif 000005
【図４】
2018130106.tif 000006
(57)【要約】      （修正有）【課題】コストは低く、電気代もかからず、構造は複雑ではないので部品点数も少なく、かつ、コントローラーがなくとも温度調整ができる、動物が止まり易い止まり木を提供する。【解決手段】金属棒１の一点にＰＴＣヒーター２を付けた止まり木。【選択図】図１
2018130108.tif 000002
【特許請求の範囲】
【請求項１】
金属棒の長手中央部にヒーター取り付け部に取り付けられたＰＴＣヒーターと、
前記  ＰＴＣヒーターに取り付けられた電源ケーブルと、
前記  金属棒に取り付ける本体カバーと、
前記  金属棒に取り付けられた取り付け長ネジと、
前記  取り付け長ネジに取り付けた取り付けワッシャと、
前記  取り付け長ネジに取り付けた取り付け蝶ナットからなる動物のあたたかい止まり木。
【請求項２】
前記  金属は、アルミニウム又は銅からなる。
請求項１からなる動物のあたたかい止まり木。
【発明の詳細な説明】
【技術分野】
【０００１】本発明は、動物の暖房器具に関する。
【背景技術】
【０００２】動物用止まり木ヒーターは、コンクリート製の製品の中に電熱コイルと温度センサーが入ったヒーター（例えば特許文献１参照。）がある。
【先行技術文献】
【０００３】
【特許文献１】米国特許６，８６６，００７  Ｂ１
【発明の概要】
【発明が解決しようとする課題】
【０００４】コストが高い。
電気代が高い。
部品点数が多い。
構造が複雑。
動物の足の大きさがちがうためセンサーと別でヒーターを入れると径が大きくなって小動物が止まりずらい。
セメントを型に入れて作っているので、本体の外径サイズが少ない。
コントローラーがないと温度調整ができない。
【課題を解決するための手段】
【発明の効果】
【０００５】本発明は、金属棒一点にＰＴＣヒーターを付ける事によって解除できた。
コストが安い。
省エネ。
コントローラーを無くした事によって部品点数を減らした。
構造が単純。
ＰＴＣヒーターを、使う事によって径が小さく動物が止まりやすくなった。
金属棒１に、することで外径の旋盤加工（工作機）が出来るようになり本体の外径サイズが自由になった。
コントローラー無しで温度調整ができる。
【図面の簡単な説明】
【０００６】
【図１】本発明品止まり木の断面図。
【図２】本発明品の全体図。
【発明を実施するための形態】
【実施例】
【０００７】図１は、本発明装置の断面図であって、金属棒１の長手中央部のヒーター取り付け部８にＰＴＣヒーター２を、直接取り付けている。
プラスチック本体カバー４を、金属棒１に被せる。
金属棒１の開口部端面に直接取り付け長ネジ５を付ける。
図２の説明は、本体取り付け例。
動作について説明する。
図２の飼育ゲージの金網９の内側から外側に動物の温かい止まり木の取り付け長ネジ５を通し取り付け長ネジを取り付ける。
電源ケーブル３を飼育ゲージの金網の内側から外側に通す。
取り付けワッシャー６を飼育ゲージの金網９の外側から取り付け長ネジに差しこむ。
取り付け蝶ナット７をプラスチック本体カバー４と取り付けワッシャー６の間に飼育ゲージの金網９を挟み込取り付け蝶ナットを締め付ける。
取り付け蝶ナット７で締め付ける事によって取り付けられる。
電源を入れる事によってＰＴＣヒーター２が温まる。
ヒーター取り付け部８を通じて金属棒１に熱が広がる。
図２は、本発明品の動物のあたたかい止まり木を強調する図面です。
【符号の説明】
【０００８】１  金属棒
２  ＰＴＣヒーター
３  電源ケーブル
４  プラスチック本体カバー
５  取り付け長ネジ
６  取り付けワッシャー
７  取り付け蝶ナット
８  ヒーター取り付け部
９  飼育ゲージの金網
【図１】
2018130108.tif 000003
【図２】
2018130108.tif 000004
(57)【要約】      （修正有）【課題】セルロース系バイオエタノール生産が補助金なしでは成り立ち難い状況を救うべく、使える原材料を量産していく為の、季節によらない、冷害に強い農作物生産を行うため、の技術の提供。【解決手段】農業技術である「春化（バーナリゼーション）処理を施したオオムギを秋の早いうちに蒔種して、幼穂分化を促進し幼穂凍死のし易い時季を早々の脱しっさせ、耐寒性を高めて栽培して、バイオ燃料の原材料としいく方法。、農業と工業を結びつけることにより日本の繁栄、日本の科学技術の発展に寄与していく。【選択図】なし【特許請求の範囲】
【請求項１】
「春化」技術を施したオオムギのバイオエタノール原材料化
【発明の詳細な説明】
【技術分野】
【０００１】クリーンエネルギー
【技術背景】
【０００２】近年のエネルギー需要の増大は、石油価格高騰や原産地の情勢不安は勿論のこと、地球温暖化や大気汚染といった環境問題にも多大な影響を与えている。世界各国では、こうした環境に対する影響に配慮する中で、エネルギー需要をも充足させるため、環境に優しい新エネルギーの開発に取り組んでいる。
環境に優しい新エネルギーは、クリーンなエネルギーであるべきであり、つくられかたもクリーンであるべきである。
水素社会の実現が理想社会であると考えられて久しいが、その水素社会を実現していく有能な水素キャリアはバイオエタノールであり、そのバイオエタノールは、農作物から、クリーンに作られることが可能である。
バイオエタノールは、その原材料の農作物の価格が先物取引等の影響を受けるなど国際価格の変動を受けやすい。その価格変動のために、十分な量があったとしても国際的な食料問題に直結するとされやすいことが課題となっている。
そのため日本国は、食料としては生かされない植物の茎部分等を、バイオエタノール原材料とすることを、多額の研究費補助金配布等により、成し遂げようとしている。
人間の体内では、植物壁のタンパク質も脂質もエネルギーとなることが出来るが、頭脳はブドウ糖でしかない。政府や世界は、このような神業をバイオエタノール業界にさせようとしているように感じる。バイオエタノールは植物体が太陽エネルギーをその葉緑素でデンプンの形に貯蔵したものを原材料にすると簡単に出来る。その植物を農作物とすればよい。
日本の農業を鑑みたときには、旧態依然の考え方のまま窮地に陥っているように感じる。たとえば、農家に対する「ムギふみ」は、条件が合致すれば増産に結び付くこともあるのかも知れないが、ほとんどの場合、ムギの主幹を傷つけるだけであり、非科学的であり、屈辱的な作業を農家に強いている。
ある「専門家」は、「ムギふみ」の効果を次のように挙げる。
▲１▼過剰生産の抑制
▲２▼分枝の促進
▲３▼根張りの向上
▲４▼耐寒性の向上
▲５▼ムギ踏みが不足すると幼穂凍死が助長される
▲６▼ムギ踏みが不足すると赤カビ病にかかりやすくなる
まず「▲１▼過剰生産の抑制」は、農家にムギを踏みつけさせることにより行うことではない。「▲２▼分枝の促進」は、花芽（穂に成長）を内部に含む主幹が傷つけられたために起こることである。分枝が無数にでき、それぞれに花芽（穂）が含まれることを期待することは科学的ではない。特に茎立ちしてからの鎮圧（ムギ踏み）は有害であることが、まず広く認知されるべきことである。「▲３▼根張りの向上」は、土壌の状態、土壌の養分・水分含有状態により左右されるものである。「▲４▼耐寒性の向上」はオオムギであれば幼穂が７ミリから２０ミリの間にマイナス２度の冷温にさらされないことが重要であり、例えば「霜が降ったあと、土の表面から根が押し上げられたのを戻してあげるため」という説明は間違っている。「▲５▼ムギ踏みが不足すると幼穂凍死が助長される」「▲６▼ムギ踏みが不足すると赤カビ病にかかりやすくなる」という指導は、非科学的であるだけでなく強迫的である。幼穂凍死は幼穂が比較的暖かな地中から地上に出たときに、まだ寒さに弱い７ミリから２０ミリの間の小ささである時に外気温がマイナス２℃以下となると発生する。赤カビ病の病原菌フザリウム（糸状菌カビ）は広い範囲の栽培植物が宿主であり、ムギ踏みがされたか、されてなかったかは関係がない。
気象によるムギ類への冷害は、出穂直前期８日から１０日頃、マイナス１度からマイナス１．５度の外気温に、４時間さらされることで発生する。つまりムギへの冷害は、幼穂凍死だけではない。
これらのムギへの冷害を、「春化」技術を施した種苗を植えることにより、克服していく。
この農業技術を確立し、日本列島中央につらぬく山脈の、中腹に畑をもつ、社会的に孤立しがちな零細農家の方々にも、気象に左右されにくい安定的な収入をもたらす農作物を育てていただく。また、オオムギの特徴として、基本的に寒さに強いだけでなく塩害に強いという面がある。東日本大震災により被害を受けた、沿岸部の農地にその作付けを行い、また再度、災害にあおうとも、すばやい回復ができるように、体制を整えていきたい。
【発明の概要】
【発明が解決しようとする課題】
【０００３】エネルギー問題
【課題を解決するための手段】通常、秋蒔品種を春蒔する際に施す農業技術である「春化（バーナリゼーション）」を、秋の早い季節のうちに蒔く種苗にも施すことにより幼穂分化を促進し、幼穂凍死しやすい７ミリから２０ミリの小ささから早々に脱し、寒さに耐えやすい大きさへと成長させておく。
２度から３度の冷暗な環境に、２０日間以上、オオムギの種子を置くことにより、オオムギの種子に寒さを感じさせ、その後、自ら、気象条件に左右されにくい成長過程を遂げさせる。
【発明の効果】再生可能エネルギーの一分野である、バイオマス部門の、農作物系バイオエタノールを日本農業の復興とともに成し遂げていく。中世日本の農業が、コメとムギとの二毛作で、目覚ましい発展を遂げ、その後の日本の素晴らしい文化的発展を支えたように、日本の基盤産業である農業を根本から、科学技術力で支え、産業化することにより、日本繁栄の礎を築いていく。日本農業を、エネルギー産業と結びつけることにより、海外に流出し続ける化石燃料購入費を国内に還流させ、農家の方々に確実な収入を得ていただくようにする。農作物の植物体の葉緑素が、太陽エネルギーをデンプンとして貯蔵するものを、日本古来の醸造技術により化学エネルギー状態に換え、人間が、ガソリン代替燃料として使い易いバイオエタノールでもあり、素晴らしい水素キャリアでもあるものとして使用していく。
農地に農作物を育てていただける仲間を増やしつつ、天地人の力で、日本農業再生をも果たしていきたい。
(57)【要約】【課題】岩場や石の多い場所での投げ釣りは、おもりが岩や石に引っ掛かるためできない。ウキ釣りの場合は、ウキが沈みこまない程度の軽いおもりを使用するため、狙う魚がいる棚に届く前に外道と言われる魚に餌を獲られてしまう。ジグやルアーと呼ばれる疑似餌釣りでは、出来る限り遠くに投げるためにより重いものを使うが、ジグやルアーの効果的な遊泳を阻害している。風が強い時には、狙った場所への投入が難しい。不  必要に重いおもりは、魚の取り込みを難しくするなどの問題がある。【解決手段】紙のフックを有するおもりは、着水後紙が水を吸うことにより強度が著しく落ち自然に外れるか、つり竿を意図的に煽ることにより水中で紙が切れておもりを外すことができるため既存のおもりではできない釣り方を楽しむことができる。【選択図】図１
2018130109.tif 000002
【特許請求の範囲】
【請求項１】
比重の重い金属、ガラス、石のどれか一つを素材とするおもり部材に紙をフックとして固着させたことを特徴とする釣り用おもり。
【請求項２】
ループ状の紙がおもり部材に固着され一体となっている請求項１のおもり。
【請求項３】
ループ状の紙が金属のカシメを介しておもり部材に固着されている請求項１のおもり。
【発明の詳細な説明】
【技術分野】
【０００１】本発明は水中で外れる釣り用おもりに関するものである。
【背景技術】
【０００２】現在流通している釣り用おもりは、釣り糸に取り付けるおもりのフック部材に金属を使用しているため水中で外れることはなく、いかに根掛かりをしにくくするか、亦、岩や石に根掛かりした場合にいかにおもりを外し回収するかが考察の主流となっている。
【先行技術文献】
【特許文献】
【０００３】
【特許文献１】特開平１０−９４３５３
【特許文献２】特開平１０−９４３５４
【登録実用新案広報１】
第３０２６６５２号
【登録実用新案公報２】
第３１７３８９２号
【登録実用新案広報３】
第３１０４９６４号
【発明の概要】
【発明が解決しようとする課題】
【０００４】岩場や石の多い場所での投げ釣りは、おもりが岩や石に引っ掛かるため道糸を切断し仕掛けを破棄せざるを得ず環境汚染の原因にもなっている。ウキ釣りに於いては、ウキが水中に沈み込まない程度の軽いおもりを使用するため、狙う魚がいる棚に届く前に外道と言われる目的外の魚に餌を獲られてしまうことが多い。ジグやルアーと呼ばれる疑似餌釣りでは、できる限り遠くに投げるためにより重いものを使うが、ジグやルアーの効果的な遊泳を阻害している。風が強い時には、狙った場所への投入が難しい。不必要に重いおもりは魚の取り込みを難しくするなどの問題がある。
【課題を解決するための手段】
【０００５】本発明は、ループ状で縒りを加えた紙を石、金属、ガラスなどの比重の重い部材に直接、間接に固着し、紙をフックとして釣り糸に連結できる釣り用おもりである。
【発明の効果】
【０００６】本発明のおもりは、着水後吸水した紙は強度が著しく落ちて釣り糸から外れるため岩場や石の多い場所での投げ釣りでおもりが岩や石に引っかかり釣り糸すべてを切断、破棄する必要がない。ウキ釣りに於いては本提案の重いおもりを使用して素早く棚に届かせ、竿を軽く煽ることで紙が切れておもりが外れ、外道と言われる魚に餌を獲られるリスクを効果的に回避できて餌代の節約にもなる。ジグやルアーと呼ばれる疑似餌釣りでは、不自然さの無い遊泳をさせる最も効果的な重さのジグやルアーを選択でき、尚且つ、本提案のおもりの重さで遠くに投げることにより多くの釣果が期待できる。風が強い時にも狙った場所への投入が容易にできる。おもりが水中で外れるため魚の取り込みが容易になるなどの利点がある。
【図面の簡単な説明】
【０００７】
【図１】本発明のおもり部材の構成を示す説明図である。
【図２】ループ状の紙２とカシメ部材３をおもり本体１に固着する実施方法を示した説明図である。
【図３】ループ状の紙２を直接おもり本体１に固着させる実施方法を示した説明図である。
【発明を実施するための形態】
【０００８】以下、本発明の実施の形態を図１〜図３に基づいて説明する。
【０００９】図１は縒りを加えた紙をフックとする釣り用おもりの完成状態を示す。図２は、ループ
2018130109.tif 000003
接着剤４で固着する部材の展開図を示す。投入時に遠心力で固着した部分が剥がれることを防止するため小石との接着面積が大きなカシメ部材を介して固着させることは効果的である。図３は、水中で釣り糸から外れる（捨てる）ことを目的とするためできる限り安価であることが求められ、安価な小石を利用する場合にループ状の紙１を直接おもり本体１に固着する実施方法を示す。浮き釣りの場合はエサ取りを回避するためできる限り速くエサを棚に沈めることが求められる。固着部分の強度は軽く投げ込む程度に耐えうる強度があれば十分であり、ループ状の紙を直接おもりに固着させたおもりは安価に提供できて経済的である。
【符号の説明】
【００１０】１  おもり本体
２  紙ループ
３  カシメ金属
４  接着剤
【図１】
2018130109.tif 000004
【図２】
2018130109.tif 000005
【図３】
2018130109.tif 000006